(57)【要約】【課題】  透視部を有する液晶表示パネルの背面側に塵埃が侵入することを防ぎ、透明部分の透明度に劣化を生じないようにして後方にある表示体を確実に見ることができる透視型液晶モジュールおよび透視型液晶表示装置を提供する。【解決手段】  液晶表示パネル１１と、液晶表示パネル１１の背面側に配置されたバックライト１２と、バックライトの後方に配置された表示体１５〜１５"と、液晶表示パネル１１及びバックライト１２に設けられ、液晶表示パネル１１の前方から表示体１５〜１５"を見えるようにするために形成された透視部１１１、を有する透視型液晶表示装置において、バックライト１２の背面側は、透視部１１１に対応する部分に透明部材からなる窓部１７１を形成したカバー１７により全面的に覆われている。【選択図】      図２
2005189477.tif 000002
【特許請求の範囲】
【請求項１】
液晶表示パネルと、
前記液晶表示パネルに設けられ、該液晶表示パネルの前方から該液晶表示パネル後方を見えるようにするために形成された透視部、を有する透視型液晶モジュールにおいて、
前記液晶表示パネルの背面側は、前記透視部に対応する部分に透明部材からなる窓部を形成したカバーにより全面的に覆われていることを特徴とする透視型液晶モジュール。
【請求項２】
前記カバーは箱状に形成され、該箱状内部に前記液晶パネルを収納して一体形成されてなることを特徴とする請求項１に記載の透視型液晶モジュール。
【請求項３】
液晶表示パネルと、
前記液晶表示パネルの背面側に配置されたバックライトと、
前記液晶表示パネル及び前記バックライトに設けられ、液晶表示パネルの前方から前記バックライト後方を見えるようにするために形成された透視部、を有する透視型液晶モジュールにおいて、
前記バックライトの背面側は、前記透視部に対応する部分に透明部材からなる窓部を形成したカバーにより全面的に覆われていることを特徴とする透視型液晶モジュール。
【請求項４】
前記カバーは箱状に形成され、該箱状内部に前記液晶パネル及び前記バックライトを収納して一体形成されてなることを特徴とする請求項３に記載の透視型液晶モジュール。
【請求項５】
液晶表示パネルと、
前記液晶表示パネルの後方に配置された表示体と、
前記液晶表示パネルに設けられ、該液晶表示パネルの前方から前記表示体を見えるようにするために形成された透視部、を有する透視型液晶表示装置において、
前記液晶表示パネルの背面側は、前記透視部に対応する部分に透明部材からなる窓部を形成したカバーにより全面的に覆われていることを特徴とする透視型液晶表示装置。
【請求項６】
前記カバーは箱状に形成され、該箱状内部に前記液晶パネルを収納して一体形成されてなることを特徴とする請求項５に記載の透視型液晶表示装置。
【請求項７】
液晶表示パネルと、
前記液晶表示パネルの背面側に配置されたバックライトと、
前記バックライトの後方に配置された表示体と、
前記液晶表示パネル及び前記バックライトに設けられ、液晶表示パネルの前方から前記表示体を見えるようにするために形成された透視部、を有する透視型液晶表示装置において、
前記バックライトの背面側は、前記透視部に対応する部分に透明部材からなる窓部を形成したカバーにより全面的に覆われていることを特徴とする透視型液晶表示装置。
【請求項８】
前記カバーは箱状に形成され、該箱状内部に前記液晶パネル及び前記バックライトを収納して一体形成されてなることを特徴とする請求項７に記載の透視型液晶表示装置。
【発明の詳細な説明】
【技術分野】
【０００１】
本発明は、透視型液晶モジュールおよび透視型液晶表示装置に関し、特に液晶表示パネルの前方から液晶表示パネルの後方に配置された表示体を観察することができる透視部を設けた透視型液晶モジュールおよび透視型液晶表示装置に関する。
【背景技術】
【０００２】
この種の透視型液晶表示装置は、全体的に薄い形状であり、しかも表示装置の表示面全面を用いて表示する場合と、中央部などの所定個所を透明にしてその周辺部の表示面だけを用いて表示する場合とを電気的な制御によって容易にできるという利点を有する。そのため、下記のものに限られるものではないが、例えば、下記特許文献１に示すように遊戯装置に適用されている。
【０００３】
特許文献1に示す従来技術は、遊技装置の前面側上部にＬＣＤ（リキッドクリスタルディスプレイ）パネルからなるゲーム表示部が設けられ、このゲーム表示部の中央には透明な３つの可変表示部としての可変表示窓が設けられている。ゲーム表示窓の後方の可変表示窓に対向した位置には表面に数字,絵柄などが施された回転ドラムなどの表示体が配されている。遊技装置の上部内には補給樋から賞玉が補給される貯留タンクが設けられ、遊技装置の下部には球受部が設けられ賞球が遊技装置内を上方から下方へと移動するようになっている。
【０００４】
遊技装置は、通常状態では回転ドラムの回転動作が停止されておりＬＣＤパネル制御部によりゲーム表示部が可変表示窓も含めて表示面の全面を使用して表示を行っている。この前面表示は、投入スイッチ表示部が映し出される他、ゲーム表示部全体に広告表示やシミュレーション表示が映し出される。そして、遊技者がゲームを開始するとこれを検知してＬＣＤパネル制御部により可変表示窓を透明とし、ゲーム表示部の前方から後方の回転ドラムの回転による変化が認識できるようになっている。
【０００５】
一方、本出願人は、特願２００２−２３２６９７号として、遊戯機の前面に設けた遊戯機用表示器をスロット表示の部分を除き液晶ドットマトリックス表示機能をもたせ、スロット表示部分を、カラーフィルターを設けた透視部とした液晶パネルを用いた遊戯機に関する発明（以下、「第１先願発明」という。）を特許出願している。このような構成とすることにより、遊戯機用表示器はスロット表示部分で回転表示機の絵柄を表示し、液晶ドットマトリックス表示機能部分で動く装飾やタイムリーな情報提供をおこなうことができるようになる。
【０００６】
同じく、本出願人は特願２００２−２７５０６１号として、遊戯機の前面化粧板全体に液晶表示器を用い、この液晶表示器に絵柄や数字のスロット表示がなされる開口部を形成した構成の液晶表示パネルを用いた遊戯機に関する発明（以下、「第２先願発明」という。）を特許出願している。この遊戯機は、液晶表示器に偏光板を用いるが、開口部分には偏光板を設けず、スロット表示を見やすくしたものである。
【０００７】
これらの先願１ないしは先願２の液晶表示モジュールを用いた従来の遊戯装置における液晶表示部の構成を、図６〜図７を用いて説明する。ここで、図６は、従来例の遊戯装置の液晶表示部と回転表示体とを示す断面図であり、図７は、図６における液晶表示部を分解して背面側を上方として示した分解斜視図である。
【０００８】
図６〜図７において、遊戯装置であるスロットマシン本体は省略するが、スロットマシンの前面に設けた液晶表示部２０は、液晶表示パネル２１と、その背面側に配置されたレンズシート２２と、このレンズシート２２の背面側に配置された拡散シート２３と、この拡散シート２３の背面側に配置されたバックライト部２４と、これらを積層して一体化するための枠体２５とケース２６とから構成されている。
【０００９】
バックライト部２４は、背面に反射シート２４０が配置された透明な材料からなる導光板２４１と、この導光板２４１の端面に対向して配置された蛍光灯からなる光源２４２とから構成されている。この導光板２４１は、図７に示したように、導光板２４１自体に形成された乱反射のためのドットパターン面２４１ａを有している。そして、この反射シート２４０は光源２４２から導光板２４１の側方に入射した光を前方に効果的に反射させるようになっている。この反射シート２４０によって前方に反射された光は拡散シート２３とレンズシート２２とにより液晶表示パネル２１の背面を均一に照射するようになっている。
【００１０】
一方、液晶表示パネル２０の裏側には３個のドラム状の回転表示体３０等が配されている。これら回転表示体３０等はその周面に種々の図柄が施され、且つ夫々が独立に回転できるようになっている。これら図柄は液晶表示部２０に形成された３個の開口部４０等を介して液晶表示部２０の前方から見えるようになっている。
【００１１】
開口部４０等は、導光板２４１の前方に位置する拡散シート２３に形成した拡散シート開口部２３０と、レンズシート２２に形成したレンズシート開口部２２０と、導光板２４１の後方に位置する反射シート２４０に形成した反射シート開口部２４０ａと、ケース２６に形成したケース開口部２６０と、更には液晶表示パネル２１に形成した透視部分（図示せず）とから構成されている。これら拡散シート開口部２３０、レンズシート開口部２２０、反射シート開口部２４０ａ及びケース開口部２６０はほぼ同一寸法であって矩形である。
【００１２】
液晶表示パネル２１の透視部分は、拡散シート開口部２３０、レンズシート開口部２２０、反射シート開口部２４０ａ等と同一寸法か若干大きな寸法で形成されている。導光板２４１は全面が実質的に透光性であるので特に開口部分を形成していないが、図７に示したように、ドットパターン面２４１ａの反射シート開口部２４０ａに相当する範囲２４１ｂにはドットパターンを施さず平らな面としてある。また、液晶表示パネル２１はバックライトと制御回路（図示せず）とによって各種の装飾、ゲーム内容の表示、数字の表示、透光部分等が得られるようになっている。
【００１３】
このような構成の従来装置は、遊戯者がコインを投入してゲームを開始すると、表示用開口部４０が現れ、液晶表示部２０の前面から回転表示体３０等の絵柄が見えるようになると共に、液晶表示パネル２１上に装飾等の各種の表示がなされる。その後、遊戯者は回転表示体３０等を回転させて表示用開口部４０を介して高速で変化する絵柄を監視し、その内の１つについてストップ操作を行ういわゆる目押し操作を行って回転表示体３０の回転を停止させる。以下順に他の回転表示体３０を停止させ、夫々の表示用開口部４０に所望の絵柄が表示されることを目標に操作してゲームを楽しむようになっている。
【００１４】
また、透視型でない液晶表示装置も存在する。この液晶表示装置の従来技術としては,例えば下記特許文献２で示すものがある。これは前記特許文献１に示す技術と同様に遊技機に適用したものであって、遊技機の中央部分にＬＣＤ表示部が設けられたものである。このＬＣＤ表示部は透明に制御される部分を有せず、常にゲームのための特別図柄を可変表示し得る画像表示部を構成するものである。そして、ＬＣＤ表示部は、液晶表示板と、液晶表示板の裏面側に光を照射するためのバックライトと、液晶表示板を駆動するためのドライバ回路基板とを有し、これら構成部材が収容ケース内に収容されている。これら液晶表示板、バックライト、ドライバ回路基板などは収容ケースによって覆われ外部に露出されていない。
【特許文献１】特許第２６８５０９６号公報（３頁左欄１行〜７行、４頁左欄２８行〜４６行、４頁右欄１８行〜２３行、１０頁右欄９行〜１８行、１０頁右欄３４行〜４４行、第１図及び第２図）
【特許文献２】特開２００２−６６００１号公報（段落〔００１９〕、段落００２３）、図３及び図９）
【発明の開示】
【発明が解決しようとする課題】
【００１５】
しかしながら、前記特許文献１に示す従来技術にあっては、賞玉が遊技装置の上方から下方に移動する際に摩擦によって塵埃が発生し、これがＬＣＤパネルの背面に付着して品質の劣化をもたらしていた。この塵埃の発生は回転ドラムの軸受け部、駆動部などからも発生して直接にＬＣＤパネルの背面に付着していた。そのため、透明部分に汚れを生じさせ透明度が低下し表示が見難くなってしまう。このような塵埃の付着はＬＣＤパネルにとっては光学的な品質低下をもたらし極めて大きな問題点となっていた。
【００１６】
また、図６、図７に示す従来の液晶表示部を用いた遊戯装置においては、ケース２６の開口部２６０から侵入する塵埃が反射シート２４０、拡散シート２３、レンズシート２２等のシート類に付着し、表示機能に悪影響を与え、ケース２６の背面側に配置される駆動用回路基板に付着し、回路配線をショートさせる恐れが生じるなどの問題点もあった。
【００１７】
これに対して、前記特許文献２で示すようにＬＣＤ表示部の背面をカバーで覆う技術が考えられるが、透視型の液晶表示装置に適用するとカバーによってＬＣＤ表示部の後方に配した回転ドラムを前方から認識することができない。従って、透視型液晶表示装置にあっては液晶表示パネルの背面部分に直接塵埃が付着することに対する防止策はとられていないままであった。
【００１８】
本願の発明者は、前記の問題点を解消すべく種々検討を重ねた結果、透視部を有する透視型液晶表示パネルの背面側を全面的に覆い、透視部に対応する部分に透明材料からなる窓部を形成したカバーを、前記液晶表示パネルに設置することにより透視部の機能を損ねることなく防塵効果を有する液晶モジュールおよび液晶表示装置を提供できることを見出し、本発明を完成するに至ったものである。
【００１９】
すなわち、本発明は前記の問題点を解消することを課題とし、透視部を有する液晶表示パネルの背面側に塵埃が侵入することを防ぎ、透明部分の透明度に劣化を生じないようにして後方にある表示体を確実に見ることができる透視型液晶モジュールおよび液晶表示装置を提供することを目的とするものである。
【課題を解決するための手段】
【００２０】
前記課題を解決するために、請求項１に係る発明の透視型液晶モジュールは、液晶表示パネルと、前記液晶表示パネルに設けられ、該液晶表示パネルの前方から該液晶表示パネル後方を見えるようにするために形成された透視部、を有する透視型液晶モジュールにおいて、前記液晶表示パネルの背面側は、前記透視部に対応する部分に透明部材からなる窓部を形成したカバーにより全面的に覆われていることを特徴とする。
【００２１】
また請求項２の発明は、請求項１に係る透視型液晶モジュールにおいて、前記カバーは箱状に形成され、該箱状内部に前記液晶パネルを収納して一体形成されてなることを特徴とする。
【００２２】
また請求項３に係る発明の透視型液晶モジュールは、液晶表示パネルと、前記液晶表示パネルの背面側に配置されたバックライトと、前記液晶表示パネル及び前記バックライトに設けられ、液晶表示パネルの前方から前記バックライト後方を見えるようにするために形成された透視部、を有する透視型液晶モジュールにおいて、前記バックライトの背面側は、前記透視部に対応する部分に透明部材からなる窓部を形成したカバーにより全面的に覆われていることを特徴とする。
【００２３】
また請求項４の発明は、請求項３に係る透視型液晶モジュールにおいて、前記カバーは箱状に形成され、該箱状内部に前記液晶パネル及び前記バックライトを収納して一体形成されてなることを特徴とする。
【００２４】
また請求項５に係る発明の透視型液晶表示装置は、液晶表示パネルと、前記液晶表示パネルの後方に配置された表示体と、前記液晶表示パネルに設けられ、該液晶表示パネルの前方から前記表示体を見えるようにするために形成された透視部、を有する透視型液晶表示装置において、前記液晶表示パネルの背面側は、前記透視部に対応する部分に透明部材からなる窓部を形成したカバーにより全面的に覆われていることを特徴とする。
【００２５】
また請求項６の発明は、請求項５に係る透視型液晶表示装置において、前記カバーは箱状に形成され、該箱状内部に前記液晶パネルを収納して一体形成されてなることを特徴とする。
【００２６】
また請求項７に係る発明の透視型液晶表示装置は、液晶表示パネルと、前記液晶表示パネルの背面側に配置されたバックライトと、前記バックライトの後方に配置された表示体と、前記液晶表示パネル及び前記バックライトに設けられ、液晶表示パネルの前方から前記表示体を見えるようにするために形成された透視部、を有する透視型液晶表示装置において、前記バックライトの背面側は、前記透視部に対応する部分に透明部材からなる窓部を形成したカバーにより全面的に覆われていることを特徴とする。
【００２７】
また請求項８の発明は、請求項７に係る透視型液晶表示装置において、前記カバーは箱状に形成され、該箱状内部に前記液晶パネル及び前記バックライトを収納して一体形成されてなることを特徴とする。
【発明の効果】
【００２８】
本願発明は上記の構成を備えることにより以下のような優れた効果を奏する。すなわち、本願の請求項１または３に係る透視型液晶モジュールにおいては、液晶表示パネルの背面側或はバックライトの背面側がカバーによって直接的に覆われているので、塵埃が液晶表示パネルの背面或はバックライトの背面及びカバーの窓部の内面に付着し品質の劣化をもたらすことが防止できると共に、カバーの透視部に対応した部分が透明部材からなる窓部になっているので、透明部を透明状態にしたとき後方の表示体などの物体を液晶表示パネルの前方から確実に見ることができる効果を有する。
【００２９】
また、本願の請求項２または４に係る透視型液晶モジュールにおいては、箱状のカバーに液晶表示パネル、または液晶表示パネル及びバックライトを収納し一体化されるので、簡単な構造で液晶表示パネル、バックライトの背面を全面的に覆うことができる効果を有する。
【００３０】
本願の請求項５または７に係る透視型液晶表示装置においては、液晶表示パネルの背面側或はバックライトの背面側がカバーによって直接的に覆われているので、塵埃が液晶表示パネルの背面或はバックライトの背面及びカバーの窓部の内面に付着し品質の劣化をもたらすことが防止できると共に、カバーの透視部に対応した部分が透明部材からなる窓部になっているので、透明部を透明にしたときの後方の表示体を液晶表示パネルの前方から確実に見ることができる効果を有する。
【００３１】
また、本願の請求項６または８に係る透視型液晶表示装置においては、箱状のカバーに液晶表示パネル、または液晶表示パネル及びバックライトを収納し一体化されるので、簡単な構造で液晶表示パネル、バックライトの背面を全面的に覆うことができる効果を有する。
【発明を実施するための最良の形態】
【００３２】
以下、本発明の具体例を実施例及び図面を用いて詳細に説明する。まず、本発明が適用される遊技装置の要部について図１〜図３を用いて説明する。なお、図１は本発明の実施例における透視型液晶表示モジュールと表示体とを有する透視型液晶表示装置を示す斜視図、図２は図１の透視型液晶表示モジュールおよび表示体の透視部位置における縦断面図、図３は本発明の実施例における透視型液晶表示パネルを含む液晶モジュールとカバーを分解して後方より見た斜視図である。図４は、本発明の実施例におけるカバーを液晶表示モジュール側から見た斜視図であり、図５は、図２の部分Aを拡大して示す縦断面図である。
【００３３】
なお、以下の説明において液晶分子を封入した一対の基板を透視型液晶表示パネル、透視型液晶表示パネルとバックライトユニット、駆動回路基板、枠体等からなる構成体を透視型液晶モジュール、透視型液晶モジュールと回転ドラム等の表示体を含む構成体を透視型液晶表示装置、透視型液晶表示装置とコイン投入装置等からなる構成体を遊戯装置ということとする。
【実施例】
【００３４】
図１、図２及び図３において、遊技装置であるスロットマシン本体は省略するが、表示体１５、１５'，１５"とその前面に設けた透視型液晶表示モジュール１１Ａとを有する透視型液晶表示装置１０において、透視型液晶表示モジュール１１Ａは、液晶表示パネル１１と、その背面側にプリズムシートと拡散シートとからなる光学シート（図示せず）を介して配置されたバックライト１２と、駆動回路用基板１３と、これら液晶表示パネル１１、バックライト１２及び駆動回路用基板１３を一体化するための枠体１４とから構成されている。
【００３５】
バックライト１２は、背面に反射シートが配置された透明な材料からなる導光板１２１と、この導光板１２１の端面に対向して配置された蛍光灯からなる光源１２２とから構成されている。光源１２２はランプケーブル１２３を通じて電源からの電力供給がなされている。
【００３６】
また、駆動回路用基板１３はコネクタ１３１に制御信号、電源電圧供給用のコード（図示せず）が接続されて液晶表示パネル１１を駆動するようになっている。
【００３７】
液晶表示パネル１１は、駆動回路用基板１３に設けられた駆動回路によって全面的に所望の表示がなされたり、中央部分の矩形の範囲だけ透明になされるように制御されている。そして、この矩形の範囲に対応した導光板１２１には反射シートが付されていない。このようにして液晶表示パネル１１を有する液晶表示モジュール１１Ａには図２の破線で示した領域において透視部１１１が形成されている。
【００３８】
一方、液晶表示モジュール１１Ａの後方には３個のドラム状の回転する表示体１５、１５'，１５"が配されている。これら表示体１５〜１５"はその外周面に種々の絵柄、数字からなるシンボルマークが施され、且つ夫々が独立に回転できるようになっている。これらシンボルマークは液晶表示モジュール１１Ａに形成された透視部１１１を介して透視型液晶表示装置１０の前方から見えるようになっている。更に、透視型液晶表示装置１０の下方にはボックス１６が配置されており、遊技装置の上方から落下して移送されるゲーム用コインが収納されるようになっている。
【００３９】
以下において、実施例に係る透視型液晶表示装置１０の構成について図２〜図５を用いて詳細に説明する。実施例における透視型液晶表示装置１０は、以上のような構成において、液晶表示モジュール１１Ａの背面を全面的に覆うカバー１７を備えたものである。このカバー１７は不透明の白色の合成樹脂で一体成型により形成されたものである。
【００４０】
図４は、カバー１７を液晶表示モジュール１１Ａ側から見た斜視図であり、カバー１７は箱状に形成され、この箱状部分に液晶表示モジュール１１Ａを収納し嵌合するようになっている。そして、カバー１７は液晶表示モジュール１１Ａと一体になされた状態で透視部１１１に対向する部分に透明部材からなる窓部１７１が形成されている。箱状のカバー１７は、その底に相当する窓部１７１がバックライト１２の導光板１２１に接近し、その周辺が枠体１４、駆動回路用基板１３などが当接することを避けるような空間部１７２を有している。空間部１７２のコネクタ１３１に対応する位置にはプラグを挿入するための挿入口１７３が形成されている。
【００４１】
窓部１７１のバックライト１２に面した周辺には、帯状の弾性材層１７４が設けられている。更に、図２の部分Ａを拡大した縦断面図である図５及び図４において明らかなように、空間部１７２の最外周に相当する位置には、一周に亘って線状に突出した隆起部１７５が形成されている。
【００４２】
カバー１７の背面には、図３に示すように、窓部１７１の上辺及び下辺に平行に棒状光源１７６が取り付けられている。この取り付けのための構成は、カバー１７の背面における棒状光源１７６の端に相当する位置に設けた弾性力を有する係止片１７７によって形成されている。また、カバー１７の背面における棒状光源１７６に沿った位置には、棒状光源１７６を挟んで窓部１７１と反対側に反射壁１７８が形成されている。
【００４３】
枠体１４の四隅にはネジ穴１４１が形成されている。このネジ穴１４１に対応したカバー１７の四隅にはネジ受け穴１７９が形成されている。枠体１４とカバー１７との嵌合状態でネジ１８をネジ穴１４１に挿入してネジ受け穴１７９に螺合させることによって、枠体１４とカバー１７とを一体に固定して透視型液晶表示装置１０を構成することになる。またカバー１７の四隅には、外方に突出して取り付け片１９が設けられ透視型液晶表示装置１０を遊技装置の所定位置に取り付けるようになっている。
【００４４】
このような実施例の構成による透視型液晶表示装置１０を備えた遊技装置は、その組み立てに当たり、液晶表示モジュール１１Ａとカバー１７とを一体化させた状態で遊技装置に取り付け、表示体１５〜１５"を透視部１１１の後方に配する。ここで、液晶表示モジュール１１Ａの後方から見てカバー１７の窓部１７１が窪んでいるので、表示体１５〜１５"はその外周面の一部を窪んだ部分に挿入するようにして配置し、表示体１５〜１５"の外周面と液晶表示モジュール１１Ａとを接近させる。
【００４５】
このようにして組み立てられた遊技装置は、電源を投入してまだゲームを開始していない（ゲーム開始前の）状態では光源１２２に電力供給がなされて発光し制御回路用基板１３に電力供給と制御信号が供給され、液晶表示パネル１１がバックライト１２による背面からの照明と駆動回路の駆動により透視部１１１も含めて表示面全面を用いた表示を行なうことができる。この表示としては、変化する装飾模様、ゲーム方法等の説明などである。
【００４６】
その後、遊技者がコインを投入してゲームを開始すると、液晶表示モジュール１１Ａの透視部１１１に相当する部分が駆動回路によって表示機能が停止され且つ透明になされる。これは導光板１２１の反射シートが付されていない矩形状のエリアにおいて、例えば液晶表示パネル１１が所謂ノーマリーホワイトであれば電圧印加を行わず光が通過する状態にしておくことで可能となる。このようにして透視部１１１が透明になされると液晶表示モジュール１１Ａの前面から表示体１５〜１５"のシンボルマークが見えるようになる。このシンボルマークは表示体１５〜１５"の外周面が液晶表示パネル１１に接近しているので見易い。同時に、棒状光源１７６に電力供給がなされて発光し、表示体１５〜１５"の外周面を照明する。そして、棒状光源１７６が点灯され表示体１５〜１５"の外周面を照明する。この棒状光源１７６からの照射光は白色の合成樹脂からなる反射板１７８によって反射して表示体１５〜１５"の方向に有効に向かう。
【００４７】
次に、遊技者は遊技装置を操作して表示体１５〜１５"を回転させる。この操作によって遊技者は、透視部１１１から高速で変化するシンボルマークを監視し、その内の１つについてストップ操作を行なういわゆる目押し操作を行って表示体１５〜１５"の回転を停止させる。以下、順に他の表示体１５〜１５"の回転動作を停止させ、透視部１１１に所望のシンボルマークが表示されることを目標に操作してゲームを楽しむことができる。
【００４８】
このような遊技装置の作動にあっては、ゲーム用コインが移動する際に多量の塵埃を発生するが、カバー１７によって液晶表示モジュール１１Ａの背面に付着することが妨げられる。また、枠体１４とカバー１７との間には間隙があるので、この間隙を通じて塵埃がカバー１７の内部に侵入するものも少なくない。さらにカバー１７内には発熱する光源１２２、駆動用回路基板１３が存在するので、カバー１７内に上昇気流が生じて比較的下方からも塵埃が多量に侵入する。この侵入した塵埃は合成樹脂製で表面が滑らかなカバー１７の内面を滑るようにして空間部１７２の中央に向かって移動する。ところが、この侵入した塵埃はその移動方向が隆起部１７５によって大きく曲げられることによりそこに滞ることになる。勿論、塵埃は上方，側方からも空間部１７２に侵入するが、この侵入した塵埃も隆起部１７５のところに滞ることになる。
【００４９】
また、ゲーム用のコインや賞玉の移動により生じる塵埃は金属粉が多いため、この塵埃が駆動回路基板１３に付着することによって配線ショートなどの電気的障害を生じる恐れがあるが、液晶表示モジュール１１Ａの背面側へ塵埃の付着を防止し、またカバー１７内への塵埃の侵入を防止することによってこのような障害の発生を防ぐことができる。
【００５０】
枠体１４とカバー１７との間の間隙は、内部の光源１２２、駆動回路用基板１３から発生する熱を外気との対流によって放熱させるために必要なものである。従って、防塵の目的だけで完全に密封状態にすることができない。
【００５１】
導光板１２１と窓部１７１の周辺との間には弾性材層１７４が介在されており、窓部１７１が窪み１７１と隔離されているので、隆起部１７５を通過した塵埃があっても窓部１７１の内面には至らない。
【００５２】
従って、上述した本発明の実施例においては、液晶表示モジュール１１Ａの背面全体がカバー１７によって直接的に覆われているので、塵埃が液晶表示モジュール１１Ａとカバー１７によって形成される空間内に進入することが軽減され、液晶表示パネル１７の背面及びカバー１７の内面に塵埃が付着して透視部１１１、窓部１７１の面を汚してしまい品質の劣化をもたらすことを防止できる。一方、カバー１７の液晶表示モジュール１１Ａの透視部１１１に対応した部分が透明部材からなる窓部１７１になっているので、透視部１１１を透明にしたときの後方の表示体１５〜１５"を液晶表示モジュール１１Ａの前方から確実に見ることができる。
【００５３】
液晶表示モジュール１１Ａの前面の汚れは簡単に清掃できる。また、カバー１７の窓部１７１における表示体１５〜１５"側の面は表示体１５〜１５"を除去することにより比較的簡単に清掃できる。しかし、液晶表示モジュール１１Ａと窓部１７２との向かい合った面の汚れは除去することが難しいので、そこに侵入する塵埃をなくすことによって透視型液晶表示モジュール１１Ａ、すなわち、透視型液晶表示装置１０の品質を常時高く保つようになる。
【００５４】
また、カバー１７は箱状に形成されているので、そこに液晶表示モジュール１１Ａを収納し嵌合することで一体化されるので、簡単に液晶表示モジュール１１Ａの背面を全面的に覆うことができる。
【００５５】
なお、上述した本発明の実施例にあっては、本発明の透視型液晶表示装置を遊技装置に適用した場合について説明をしたが、これに限定されることなくディスプレイ機能を有する各種の電子機器などに適用できることは勿論である。
【００５６】
例えば、自動販売機や車載メーターなどのように単なる映像では表現しきれない立体感や質感を伝えるために透視型液晶モジュールの後ろ側に実際の物（ジュースや煙草など）を配置し全面の透視型液晶モジュールにはそれらをより際立たせるための演出効果や説明を表示する液晶表示装置として有効である。
【００５７】
また、上述した本発明の実施例にあっては、透視部１１１は液晶表示パネル１１の中央に設けたが、必要に応じて中央以外の位置に設けてもよく、またその個数が複数個であってもよいなど種々変更してもよい。
【００５８】
また、上述した本発明の実施例にあっては、カバー１７は全体的に箱状に形成したが、その形状が平板状であってもよく、弾性材層１７４をプラグの挿入口１７３に内側周辺に設けて空間部１７２を外部と遮蔽するようにしてもよい。
【００５９】
また、上述した本発明の実施例にあっては、液晶表示パネル１１はバックライト１２を用いて表示を行う所謂透過型の液晶パネルであるが、バックライト１２を用いない所謂反射型の液晶パネルを用いてもよい。この場合、液晶表示パネルの透視部以外においては例えば画素電極をＡｌで形成する等して外光を反射する外光反射手段を設け、透視部においては画素電極をＩＴＯ等の透明電極材料で形成し液晶表示パネルの背面側からの光が通過するように形成すればよい。
【図面の簡単な説明】
【００６０】
【図１】本発明の実施例における透視型液晶表示モジュールと表示体とを有する透視型液晶表示装置を示す斜視図である。
【図２】図１の透視型液晶表示モジュールおよび表示体の透視部位置における縦断面図である。
【図３】本発明の実施例における透視型液晶表示パネルを含む液晶表示モジュールとカバーを分解して後方より見た斜視図である。
【図４】本発明の実施例におけるカバーを液晶表示モジュール側から見た斜視図である。
【図５】図２の部分Ａを拡大して示す縦断面図である。
【図６】従来例の遊戯装置の液晶表示部と回転表示体とを示す断面図である。
【図７】図６における液晶表示部を分解して背面側を上方として示した分解斜視図である。
【符号の説明】
【００６１】
１０            透視型液晶表示装置
１１            液晶表示パネル
１１Ａ          液晶表示モジュール
１２            バックライト
１３            駆動回路用基板
１４            枠体
１５〜１５"     表示体
１７            カバー
１１１          透視部
１２１          導光板
１７１          窓部
【図１】
2005189477.tif 000003
【図２】
2005189477.tif 000004
【図３】
2005189477.tif 000005
【図４】
2005189477.tif 000006
【図５】
2005189477.tif 000007
【図６】
2005189477.tif 000008
【図７】
2005189477.tif 000009